【手続補正書】
【提出日】平成20年1月24日(2008.1.24)
【手続補正１】
【補正対象書類名】特許請求の範囲
【補正対象項目名】全文
【補正方法】変更
【補正の内容】
【特許請求の範囲】
【請求項１】
無線通信ネットワークであって、
インターネットマイクロセルと、
インターネットゲートウェイとを備え、
前記インターネットマイクロセルが、無線自動車装置からデータを無線で受信し、前記データをインターネットを介して無線サービスプロバイダーの電話スイッチに対して送信するインターネットゲートウェイに対して、前記データを有線の伝送線を介して伝送する
ことを特徴とする無線通信ネットワーク。
【請求項２】
請求項１に記載の無線通信ネットワークにおいて、
前記インターネットゲートウェイが、前記インターネットからデータを受信し、前記データを前記インターネットマイクロセルに対してルーティングし、
前記インターネットマイクロセルが、前記インターネットゲートウェイから前記データを受信して、無線通信プロトコルを介して前記無線自動車装置に対して前記データを伝送する
ことを特徴とする無線通信ネットワーク。
【請求項３】
請求項１に記載の無線通信ネットワークにおいて、
前記無線自動車装置が、無線自動車電話である
ことを特徴とする無線通信ネットワーク。
【請求項４】
請求項１に記載の無線通信ネットワークにおいて、
前記インターネットマイクロセルが、ＩＥＥＥ  ８０２．１１ａプロトコル、ＩＥＥＥ  ８０２．１１ｂプロトコル、ＩＥＥＥ８０２．１１ｇプロトコルのうちの一つを用いて前記無線自動車装置と通信する
ことを特徴とする無線通信ネットワーク。
【請求項５】
通信ネットワークにおける、少なくとも一つが無線自動車装置である装置間での通信を実行する方法であって、
前記無線自動車装置から無線でデータを受信し、
前記無線自動車装置から受信されたデータをインターネットを介して無線サービスプロバイダーの電話スイッチに対して送信する
ことを特徴とする通信方法。
【請求項６】
前記データが、第１のプロトコルを用いて暗号化されて受信される、請求項５に記載の通信方法において、更に、
前記データを無線サービスプロバイダーの電話スイッチに送信する前に、前記データを第１のプロトコルから第２のプロトコルに変換する
ことを特徴とする通信方法。
【請求項７】
前記データが第１のデータである、請求項５に記載の通信方法において、更に、
前記インターネットを介して前記無線サービスプロバイダーの電話スイッチから第２のデータを受信し、
前記第２のデータを前記無線自動車装置に対して無線で伝送する
ことを特徴とする通信方法。
【請求項８】
前記第２のデータが第１のプロトコルにおいて暗号化されて、前記無線サービスプロバイダーの電話スイッチから受信された、請求項７に記載の通信方法において、更に、
前記第２のデータを前記無線自動車装置に対して無線で伝送する前に、前記第２のデータを前記第１のプロトコルから第２のプロトコルに変換する
ことを特徴とする通信方法。
【請求項９】
通信ネットワークにおける、少なくとも一つが無線自動車装置である装置間での通信を実行するデータ処理システムで用いられるコンピュータ読み取り可能な媒体におけるコンピュータプログラムプロダクトであって、
前記無線自動車装置から無線でデータを受信するための第１の指示と、
前記無線自動車装置から受信されたデータをインターネットを介して無線サービスプロバイダーの電話スイッチに対して送信するための第２の指示とを備える
ことを特徴とするコンピュータプログラムプロダクト。
【請求項１０】
前記データが、第１のプロトコルを用いて暗号化されて受信される、請求項９に記載のコンピュータプログラムプロダクトにおいて、更に、
前記データを前記無線サービスプロバイダーの電話スイッチに送信する前に、前記データを第１のプロトコルから第２のプロトコルに変換するための第３の指示を備える
ことを特徴とするコンピュータプログラムプロダクト。
【請求項１１】
前記データが第１のデータである、請求項９に記載のコンピュータプログラムプロダクトにおいて、更に、
前記インターネットを介して前記無線サービスプロバイダーの電話スイッチから第２のデータを受信するための第３の指示と、
前記第２のデータを前記無線自動車装置に対して無線で伝送するための第４の指示とを備える
ことを特徴とするコンピュータプログラムプロダクト。
【請求項１２】
前記第２のデータが第１のプロトコルにおいて暗号化されて、前記無線サービスプロバイダーの電話スイッチから受信された、請求項１１に記載のコンピュータプログラムプロダクトにおいて、更に、
前記第２のデータを前記無線自動車装置に対して無線で伝送する前に、前記第２のデータを前記第１のプロトコルから第２のプロトコルに変換するための第５の指示を備える
ことを特徴とするコンピュータプログラムプロダクト。
【請求項１３】
通信ネットワークにおける、少なくとも一つが無線自動車装置である装置間での通信を実行するシステムであって、
前記無線自動車装置から無線でデータを受信する第１の手段と、
前記無線自動車装置から受信されたデータをインターネットを介して無線サービスプロバイダーの電話スイッチに対して送信する第２の手段とを備える
ことを特徴とする通信システム。
【請求項１４】
前記データが、第１のプロトコルを用いて暗号化されて受信される、請求項１３に記載の通信システムにおいて、更に、
前記データを前記無線サービスプロバイダーの電話スイッチに送信する前に、前記データを第１のプロトコルから第２のプロトコルに変換する第３の手段を備える
ことを特徴とする通信システム。
【請求項１５】
前記データが第１のデータである、請求項１３に記載の通信システムにおいて、更に、
前記インターネットを介して前記無線サービスプロバイダーの電話スイッチから第２のデータを受信する第３の手段と、
前記第２のデータを前記無線自動車装置に対して無線で伝送する第４の手段とを備える
ことを特徴とする通信システム。
【請求項１６】
前記第２のデータが第１のプロトコルにおいて暗号化されて、前記無線サービスプロバイダーの電話スイッチから受信された、請求項１５に記載の通信システムにおいて、更に、
前記第２のデータを前記無線自動車装置に対して無線で伝送する前に、前記第２のデータを前記第１のプロトコルから第２のプロトコルに変換する第５の手段を備える
ことを特徴とする通信システム。
【請求項１７】
無線通信ネットワークにおいて用いられるインターネットマイクロセルであって、
無線プロトコルを用いて、無線自動車装置から第１の信号を受信し、前記無線自動車装置に対して第２の信号を送信するアンテナと、
信号を無線プロトコルと有線プロトコルとの間で変換するプロセッサと、
有線のプロトコルを用いて、前記インターネットに対して第１の信号を伝送し、前記インターネットから第２の信号を受信する有線の伝送ポートとを備え、
前記信号は、前記インターネットを介して、無線サービスプロバイダーの電話ネットワークに対してルーティングされ、無線サービスプロバイダーの電話ネットワークからルーティングされる
ことを特徴とするインターネットマイクロセル。
【請求項１８】
請求項１７に記載のインターネットマイクロセルにおいて、
前記有線の伝送ポートが、イーサネットポートである
ことを特徴とするインターネットマイクロセル。
【請求項１９】
請求項１７に記載のインターネットマイクロセルにおいて、
前記有線の伝送ポートと前記インターネットとの間で伝送される信号が、インターネットゲートウエイによって促進される
ことを特徴とするインターネットマイクロセル。
【請求項２０】
請求項１７に記載のインターネットマイクロセルにおいて、
前記無線プロトコルが、ＩＥＥＥ  ８０２．１１ａ、ＩＥＥＥ  ８０２．１１ｂ、ＩＥＥＥ８０２．１１ｇ、無線アプリケーションプロトコルのうちの一つである
ことを特徴とするインターネットマイクロセル。